【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
パラジウム（Ｐｄ）及び白金（Ｐｔ）を、シリカ／アルミナ比が４０以上のゼオライトに、Pd/Pt原子比が0.1/10〜10/1であって、貴金属担持量として0.1〜10質量％担持させた触媒を、アルミナ担体と混練して得ることを特徴とするバイオディーゼル燃料製造用、又は軽由混合バイオディーゼル燃料製造用水素化触媒組成物。
【請求項２】
（１）エステル交換反応処理した油脂及び／又は廃食用油から調製した脂肪酸アルキルエステル、及び／又は（２）脂肪酸エステル化反応処理した脂肪酸アルキルエステルを、請求項１に記載の水素化触媒共存下、低圧での水素圧雰囲気にて水素化処理することを特徴とするバイオディーゼル燃料の製造方法。  
【請求項３】
（１）エステル交換反応処理した油脂及び／又は廃食用油から調製した脂肪酸アルキルエステル、及び／又は（２）脂肪酸エステル化反応処理した脂肪酸アルキルエステルを、表面のみにパラジウムを担持させたパラジウム/アルミニウム水素化触媒共存下、低圧での水素圧雰囲気にて水素化処理することを特徴とするバイオディーゼル燃料の製造方法。  
【請求項４】
請求項２または３に記載の方法で廃食用油から調製した脂肪酸アルキルエステルを水素化処理するバイオディーゼル燃料の製造方法であって、前記水素化処理による脂肪酸アルキルエステルの飽和脂肪酸の量が１８．４質量％以下であって２価以上の不飽和脂肪酸の量が９．９質量％以下であり、かつ炭素数１８の１価不飽和脂肪酸アルキルエステル中のトランス脂肪酸アルキルエステル比率が１６．８質量％以下であることを特徴とするバイオディーゼル燃料の製造方法。  
【請求項５】
請求項２または３に記載の方法でジャトロファ油アルキルエステルを水素化処理するバイオディーゼル燃料の製造方法であって、前記水素化処理によるジャトロファ油アルキルエステルの飽和脂肪酸の量が２４．８質量％以下であって２価以上の不飽和脂肪酸の量が９質量％以下であり、かつ炭素数１８の１価不飽和脂肪酸アルキルエステル中のトランス脂肪酸アルキルエステル比率が１３．７質量％以下であることを特徴とするバイオディーゼル燃料の製造方法。  
【請求項６】
請求項２または３に記載の方法で、なたね油アルキルエステルを水素化処理するバイオディーゼル燃料の製造方法であって、前記水素化処理によるなたね油アルキルエステルの飽和脂肪酸の量が１５．９質量％以下であって２価以上の不飽和脂肪酸の量が９．８質量％以下であり、かつ炭素数１８の１価不飽和脂肪酸アルキルエステル中のトランス脂肪酸アルキルエステル比率が１６．９質量％以下であることを特徴とするバイオディーゼル燃料の製造方法。  
【請求項７】
請求項２または３に記載の方法でパーム油アルキルエステルを水素化処理するバイオディーゼル燃料の製造方法であって、前記水素化処理によるパーム油アルキルエステルの飽和脂肪酸の量が５３．２質量％以下であって２価以上の不飽和脂肪酸の量が６．８質量％以下であり、かつ炭素数１８の１価不飽和脂肪酸アルキルエステル中のトランス脂肪酸アルキルエステル比率が４．８質量％以下であることを特徴とするバイオディーゼル燃料の製造方法。  
【請求項８】
請求項２または３に記載の方法で魚油アルキルエステルを水素化処理するバイオディーゼル燃料の製造方法であって、前記水素化処理による魚油アルキルエステルの飽和脂肪酸の量が３３質量％以下であって２価以上の不飽和脂肪酸の量が１６．５質量％以下であり、かつ炭素数１８の１価不飽和脂肪酸アルキルエステル中のトランス脂肪酸アルキルエステル比率が２７．４質量％以下であることを特徴とするバイオディーゼル燃料の製造方法。  
【請求項９】
水素圧を１ＭＰａ未満とすることを特徴とする請求項２〜８のいずれか記載のバイオディーゼル燃料の製造方法。
【請求項１０】
請求項２〜９のいずれか記載の水素化処理物を、軽油と混合することを特徴とする、軽油含有バイオディーゼル燃料の製造方法。
【手続補正２】
【補正対象書類名】明細書
【補正対象項目名】００１５
【補正方法】変更
【補正の内容】
【００１５】
すなわち、請求項１の発明は、パラジウム（Ｐｄ）及び白金（Ｐｔ）を、シリカ／アルミナ比が４０以上のゼオライトに、Pd/Pt原子比が0.1/10〜10/1であって、貴金属担持量として0.1〜10質量％担持させた触媒を、アルミナ担体と混練して得ることを特徴とするバイオディーゼル燃料製造用、又は軽由混合バイオディーゼル燃料製造用水素化触媒組成物である。
請求項２の発明は、（１）エステル交換反応処理した油脂及び／又は廃食用油から調製した脂肪酸アルキルエステル、及び／又は（２）脂肪酸エステル化反応処理した脂肪酸アルキルエステルを、請求項１に記載の水素化触媒共存下、低圧での水素圧雰囲気にて水素化処理することを特徴とするバイオディーゼル燃料の製造方法である。なお、前記低圧とは、従来から炭化水素油の水素化処理技術分野で採用されている圧力よりも低い圧力を意味する。
請求項３の発明は、（１）エステル交換反応処理した油脂及び／又は廃食用油から調製した脂肪酸アルキルエステル、及び／又は（２）脂肪酸エステル化反応処理した脂肪酸アルキルエステルを、表面のみにパラジウムを担持させたパラジウム/アルミニウム水素化触媒共存下、低圧での水素圧雰囲気にて水素化処理することを特徴とするバイオディーゼル燃料の製造方法である。なお、前記低圧とは、前記と同様に従来から炭化水素油の水素化処理技術分野で採用されている圧力よりも低い圧力を意味する。
請求項４の発明は、請求項２または３に記載の方法で廃食用油から調製した脂肪酸アルキルエステルを水素化処理するバイオディーゼル燃料の製造方法であって、前記水素化処理による脂肪酸アルキルエステルの飽和脂肪酸の量が１８．４質量％以下であって２価以上の不飽和脂肪酸の量が９．９質量％以下であり、かつ炭素数１８の1価不飽和脂肪酸アルキルエステル中のトランス脂肪酸アルキルエステル比率が１６．８質量％以下であることを特徴とするバイオディーゼル燃料の製造方法である。
請求項５の発明は、請求項２または３に記載の方法でジャトロファ油アルキルエステルを水素化処理するバイオディーゼル燃料の製造方法であって、前記水素化処理によるジャトロファ油アルキルエステルの飽和脂肪酸の量が２４．８質量％以下であって２価以上の不飽和脂肪酸の量が９質量％以下であり、かつ炭素数１８の1価不飽和脂肪酸アルキルエステル中のトランス脂肪酸アルキルエステル比率が１３．７質量％以下であることを特徴とするバイオディーゼル燃料の製造方法である。
請求項６の発明は、請求項２または３に記載の方法でなたね油アルキルエステルを水素化処理するバイオディーゼル燃料の製造方法であって、前記水素化処理によるなたね油アルキルエステルの飽和脂肪酸の量が１５．２質量％以下であって２価以上の不飽和脂肪酸の量が９．８質量％以下であり、かつ炭素数１８の1価不飽和脂肪酸アルキルエステル中のトランス脂肪酸アルキルエステル比率が１６．９質量％以下であることを特徴とするバイオディーゼル燃料の製造方法である。
請求項７の発明は、請求項２または３に記載の方法でパーム油アルキルエステルを水素化処理するバイオディーゼル燃料の製造方法であって、前記水素化処理によるパーム油アルキルエステルの飽和脂肪酸の量が５３．２質量％以下であって２価以上の不飽和脂肪酸の量が６．８質量％以下であり、かつ炭素数１８の1価不飽和脂肪酸アルキルエステル中のトランス脂肪酸アルキルエステル比率が４．８質量％以下であることを特徴とするバイオディーゼル燃料の製造方法である。
請求項８の発明は、請求項２または３に記載の方法で魚油アルキルエステルを水素化処理するバイオディーゼル燃料の製造方法であって、前記水素化処理による魚油アルキルエステルの飽和脂肪酸の量が３３質量％以下であって２価以上の不飽和脂肪酸の量が１６．５質量％以下であり、かつ炭素数１８の1価不飽和脂肪酸アルキルエステル中のトランス脂肪酸アルキルエステル比率が２７．４質量％以下であることを特徴とするバイオディーゼル燃料の製造方法である。
【手続補正３】
【補正対象書類名】明細書
【補正対象項目名】００１６
【補正方法】変更
【補正の内容】
【００１６】
請求項９の発明は、水素圧を１ＭＰａ未満とすることを特徴とする請求項２〜８のいずれか記載のバイオディーゼル燃料の製造方法である。
請求項１０の発明は、請求項２〜９のいずれか記載の水素化処理物を、軽油と混合することを特徴とする、軽油含有バイオディーゼル燃料の製造方法である。